(57)【特許請求の範囲】
【請求項１】
可撓性を有するシート状部材を折り曲げて形成された、少なくとも側面を有するディスプレイ本体と、
前記ディスプレイ本体に取り付けられた支持板と、
前記ディスプレイ本体と前記支持板を連結する、前記ディスプレイ本体及び前記支持板と異なる材質から成る連結具と
からなる宣伝広告用ディスプレイであって、
前記ディスプレイ本体の側面に設けられた、前記連結具が挿通される連結孔と、
前記支持板の上面に設けられ、該支持板が前記ディスプレイ本体に取り付けられたときに前記連結孔を含む前記ディスプレイ本体の側面に当接し、前記連結孔と共に前記連結具が挿通される係合孔を有する連結片と、
前記ディスプレイ本体の側面に形成され、前記連結孔に連なる側面の一部を該側面から切り取り分離するためのミシン目と
を備えることを特徴とする宣伝広告用ディスプレイ。
【請求項２】
前記ディスプレイ本体及び前記支持板は紙製であり、前記連結具はプラスチック製であることを特徴とする請求項１に記載の宣伝広告用ディスプレイ。
【請求項３】
前記ディスプレイ本体は、カートンブランクを折り曲げて形成された、下端部に開口を有する筒状箱から構成されていることを特徴とする請求項１又は２に記載の宣伝広告用ディスプレイ。
【発明の詳細な説明】
【技術分野】
【０００１】
本発明は、店頭等で商品を宣伝・広告するために用いられる宣伝広告用ディスプレイ及び宣伝広告用箱体に関する。
【背景技術】
【０００２】
紙製の箱やパネルは、その表面に図柄や絵柄、宣伝・広告用のメッセージ等を印刷し易いことから、各種イベントや店頭に展示される宣伝広告用ディスプレイ等として利用されている。特に、カートンブランクを折り曲げて組み立てられる紙製の箱は組み立てが容易であること、組み立て前のカートンブランクの状態では嵩張らず保管スペースを小さくできること、廃棄し易いこと等の理由から様々な分野で広く利用されている（特許文献１参照）。
【０００３】
このような紙製の箱やパネルを利用した宣伝広告用ディスプレイには、床上或いは台上に載置した際の安定感を確保するために支持板が取り付けられているものがある。前記支持板は紙製の箱やパネル等（以下「ディスプレイ本体」という）の下部形状よりも大きい面積を有しており、該ディスプレイ本体の下部に取り付けることで床上等に載置したときの転倒を防止することができる。
【０００４】
前記支持板は、ディスプレイ本体とは別の紙製部材からなり、ディスプレイ本体を組み立てた後、該ディスプレイ本体の下部に連結具を介して取り付けられる。近年、連結具としてプラスチックネジが用いられている。プラスチックネジは、内部にネジ山が形成された筒部を有する雌ネジに雄ネジに押し込むだけで両者が螺合されるようになっており、雄ネジを雌ネジにねじ込むことで両者が螺合される一般的なネジに比べて作業時間の短縮化を図ることができる。
【０００５】
このように、プラスチックネジは雄ネジと雌ネジの螺合は容易であるが、両者の螺合を解除させるためには、通常のネジと同様に雄ネジを回転させてネジを緩めなければならない。そのため、従来、使用を終えた宣伝広告用ディスプレイを解体する際は、プラスチックネジを取り付けたままディスプレイ本体から支持板を引きはがすことで、解体作業時間の短縮を図っていた。
【先行技術文献】
【特許文献】
【０００６】
【特許文献１】特開2005-218516号公報
【発明の概要】
【発明が解決しようとする課題】
【０００７】
ところが、プラスチックネジで固定されたディスプレイ本体と支持板を分離するために作業者は大きな力を加える必要がある。また、近年は紙製の部材とプラスチック製の部材の分別廃棄が進められているため、上述のように解体した場合でもディスプレイ本体或いは支持板からプラスチックネジを取り除く必要があり、手間がかかるという問題があった。
【０００８】
本発明が解決しようとする課題は、解体作業及び分別作業を容易に行うことができる宣伝広告用ディスプレイ及び宣伝広告用箱体を提供することである。
【課題を解決するための手段】
【０００９】
上記課題を解決するために成された本願の第１発明は、
可撓性を有するシート状部材を折り曲げて形成された、少なくとも側面を有するディスプレイ本体と、
前記ディスプレイ本体に取り付けられた支持板と、
前記ディスプレイ本体と前記支持板を連結する、前記ディスプレイ本体及び前記支持板と異なる材質から成る連結具と
からなる宣伝広告用ディスプレイであって、
前記ディスプレイ本体の側面に設けられた、前記連結具が挿通される連結孔と、
前記支持板の上面に設けられ、該支持板が前記ディスプレイ本体に取り付けられたときに前記連結孔を含む前記ディスプレイ本体の側面に当接し、前記連結孔に挿通された前記連結具が係合する係合孔を有する連結片と、
前記ディスプレイ本体の側面に形成され、前記連結孔に連なる側面の一部を該側面から切り取り分離するためのミシン目と
を備えることを特徴とする。
この場合、支持板はディスプレイ本体の下部、又は上部のいずれに取り付けられるものであっても良い。
【００１０】
本願の第２発明は、第１発明において前記ディスプレイ本体及び前記支持板が紙製であり、前記連結具がプラスチック製であることを特徴とする。
【００１１】
本願の第３発明は、第１又は第２発明において、前記ディスプレイ本体が、カートンブランクを折り曲げて形成された、下端部に開口を有する筒状箱から構成されていることを特徴とする。
【発明の効果】
【００１３】
本発明の宣伝広告用ディスプレイによれば、ミシン目に沿って連結孔付近の側面の一部を切り取ることで、連結具を取り外さなくても支持台からディスプレイ本体を取り外すことができる。また、連結孔に連なる側面の一部を切り取ることで連結孔から連結具を取り出しやすくなるため、支持台やディスプレイ本体と連結具の分別作業を容易に行うことができる。
【図面の簡単な説明】
【００１４】
【図１】本発明の第１の実施例に係る宣伝広告用ディスプレイの全体構成を示す斜視図。
【図２】連結孔周辺部分を拡大して示す図。
【図３】ミシン目に沿って押し破り部を切り取った状態を示す宣伝広告用ディスプレイの下部付近の拡大斜視図。
【図４】（ａ）支持板の平面図、（ｂ）はディスプレイ本体のカートンブランクの平面図（展開図）、（ｃ）はプラスチックネジの分解斜視図。
【図５】連結片の拡大図。
【図６】ディスプレイ本体から支持板を取り外す手順の説明図。
【図７】本発明の第２の実施例に係る宣伝広告用ディスプレイを示しており、（ａ）は支持板の平面図、（ｂ）はディスプレイ本体の展開図、（ｃ）は宣伝広告用ディスプレイの斜視図。
【発明を実施するための形態】
【００１５】
以下、本発明の具体的な実施例について図面を参照しながら説明する。
【実施例１】
【００１６】
図１〜図６は本発明の第１の実施例を示している。図１に示すように、本実施例に係る宣伝広告用ディスプレイ１は、天面１２及び前後左右の側面１４〜１７から成る四角筒状の箱１０と、この箱１０の下部開口を閉塞する支持板２０から構成されている。箱１０と支持板２０はプラスチックネジ４０によって連結されている。箱１０は本発明のディスプレイ本体に相当し、プラスチックネジは本発明の連結具、ポリフックに相当する。
プラスチックネジ４０は、図４（ｃ）に示すように雄ネジ４１と雌ネジ４２から構成されている。雄ネジ４１は円板状の頭部４１ａと軸部４１ｂから成り、該軸部４１ｂの外周にネジ山が形成されている。雌ネジ４２は円板状の頭部４２ａと円筒部４２ｂから成り、該円筒部４２ｂの内周面にネジ山が形成されている。プラスチックネジ４０は、雄ネジ４１の軸部４１ｂを雌ネジ４２の円筒部４２ｂに強く押し込むことで両者が螺合し、螺合状態にある雄ネジ４１と雌ネジ４２の一方を他方に対して回転させることで螺合状態が解除されるように構成されている。
【００１７】
前記箱１０の天面１２は長方形状の平面からなり、直線状の折線１８によって側面１４〜１７と接している。箱１０は図４の（ｂ）に示す紙製シートから成るカートンブランク３０を組み立てて形成されている。カートンブランク３０は、長方形部２６とその上部に延設された複数の小片部２８から構成されている。長方形部２６は、接着片２７と、組み立てられたときに前後左右の側面１４〜１７を構成する部分１４ａ〜１７ａから構成されている。長方形部２６を折線１８に沿って折り曲げ、接着片２７を左側面構成部分１６ａに接着して前後左右の側面１４〜１７から成る筒状体を形成した後、小片部２８を折り曲げて天面１２を形成することにより箱１０が完成する。
【００１８】
各側面１４〜１７の下部には前記プラスチックネジ４０が挿通される円形状の連結孔４３が形成されている。また、各側面１４〜１７の下部には、前記連結孔４３に連なる側面の一部を該側面から切り離すためのミシン目４４が形成されている。ミシン目４４は、各側面１４〜１７のうち連結孔４３よりも上の部分に形成されており、ミシン目４４の両端部は連結孔４３の左右両端部付近に繋がっている。このため、ミシン目４４で囲まれた領域（以下、「押し破り部４５」という）を側面１４〜１７から切り離したとき、各側面には連結孔４３の上部に連なる大きな開口４５ａが形成される（図３参照）。
【００１９】
支持板２０は３枚合紙の１枚厚紙から形成された、箱１０の下部開口よりも大きな長方形状の平板から成る。図４（ａ）に示すように、支持板２０の上面には４個の半円状の連結片５０が設けられている。これら連結片５０は箱１０の前後左右の側面１４〜１７の連結孔４３に対応して設けられており、支持板２０の一部を切り起こすことで形成されている。従って、ディスプレイ１を組み立てる前の保管時は連結片５０は支持板２０側に倒して支持板２０内に収納しておくことができる。尚、連結片５０は、３枚合紙の第１層、或いは第１層と第２層を切り起こして形成しても良いが、後述するプラスチックネジ４０の取り付け作業性を考慮すると、３枚合紙の全てを切り起こして形成することが好ましい。この場合、連結片５０を切り起こすことにより支持板２０に開口５０ａ（図６（ｂ）参照）が形成される。
連結片５０には三角形状の係合孔５１が形成されている。この係合孔５１は三角形の底辺が連結片５０の基部（支持板２０と連結片５０の境界部分）に位置し、三角形の頂部が連結孔４３の上端に対応する位置に来るように形成されている（図３及び図５（ｂ）参照）。
【００２０】
本実施例では、次のように宣伝広告用ディスプレイ１が組み立てられる。まず、カートンブランク３０を組み立てて箱１０を形成する。続いて、支持板２０の上面から連結片５０を切り起こし、支持板２０の上面の所定位置に箱１０を載置する。そして、各連結片５０を各側面１４〜１７の内面に当接させ、前記連結片５０を切り起こすことで支持板２０に形成される開口５０ａから雌ネジ４２を挿入し、係合孔５１を通して連結孔４３に差し込む。この状態で外側から雄ネジ４１の軸部４１ｂを雌ネジ４２の円筒部４２ｂに強く差し込み、螺合させる。雄ネジ４１の軸部４１ｂ及び雌ネジ４２の円筒部４２ｂは、連結片５０と側面１４〜１７を合わせた厚さ寸法よりも若干短くなっており、雄ネジ４１と雌ネジ４２を螺合させることにより、頭部４１ａ、４２ａによって連結片５０と側面１４〜１７は強く挟持される。これら一連の作業を全ての側面１４〜１７について行うことにより、箱１０と支持板２０が連結される。
【００２１】
一方、宣伝広告用ディスプレイ１の解体作業は次のように行う。まず、箱１０の各側面１４〜１７の押し破り部４５を手指で強く押す。これにより、側面１４〜１７から押し破り部４５がミシン目４４に沿って切り取られ、箱１０の内側に押し込まれる。このとき、箱１０の内側から押し破り部４５に連結片５０が当接しているため、作業者は側面１４〜１７から切り離された押し破り部４５を、プラスチックネジ４０を中心として左方或いは右方に回転させた後、箱１０内に押し込む。押し破り部４５を箱１０内に押し込んだ後のプラスチックネジ４０周辺の様子を図６（ａ）及び（ｂ）に示す。図６（ａ）は箱１０の外側から見た様子を作業者の手指と共に示したものであり、図６（ｂ）は箱１０の内側から見た様子を示したものである。図６（ｂ）に示すように、雌ネジ４２の頭部４２ａは連結片５０の係合孔５１に係合している。
続いて、プラスチックネジ４０の雄ネジ４１の頭部４１ａをやや上方に傾けて雌ネジ４２の頭部４２ａの連結片５０に対する係合を外す。
【００２２】
以上の作業を全ての側面１４〜１７について順次行った後、箱１０を上に持ち上げることで、箱１０が支持板２０から分離される。このとき、箱１０の連結孔４３にプラスチックネジ４０が付いているが、押し破り部４５が取り除かれているため、プラスチックネジ４０を上にずらすことで連結孔４３から容易に取り外すことができる。従って、紙製の箱１０及び支持板２０と、プラスチックネジ４０を簡単に分離することができる。また、プラスチックネジ４０の雄ネジ４１と雌ネジ４２の螺合を解除する作業が不要になるため、作業時間の短縮化を図ることができる。
【実施例２】
【００２３】
図７は本発明の第２実施例を示している。この第２実施例では、箱１０に代えて１枚の紙製シート６１を折り曲げたディスプレイ本体６０と支持板２０から宣伝広告用ディスプレイ１が構成されている。ディスプレイ本体６０と支持板２０との連結構造は第１実施例と同様である。このような宣伝広告用ディスプレイ１であっても、プラスチックネジ４０の螺合を解除する作業が不要になるため、解体作業時間を短縮でき、且つ、紙製のディスプレイ本体６０及び支持板２０と、プラスチックネジ４０を簡単に分離することができる。
【００２４】
尚、本発明は上記した実施例に限定されるものではなく、例えば次のような変形が可能である。
別の紙で作成した連結片を支持板の上面に接着しても良い。このように連結片を支持板の上面に接着した場合は連結片を起立させても支持板に開口ができない。このように支持板に開口がない場合は、カートンブランクを折りたたんで筒状体を形成した後、支持板に筒状体を載置して該筒状体の上部開口から手を入れてプラスチックネジを連結する。そして、その後カートンブランクの小片部を折り曲げて筒状体の上部開口を天面で塞ぐことになる。
【００２５】
支持板はディスプレイ本体の上部に取り付けられて商品を載置するためのものであっても良い。
押し破り部は連結孔の下部に設けても良い。
【符号の説明】
【００２６】
１…宣伝広告用ディスプレイ
１０…箱
１２…天面
１４、１５、１６、１７…側面
２０…支持板
３０…カートンブランク
４０…プラスチックネジ
４１…雄ネジ
４２…雌ネジ
４３…連結孔
４４…ミシン目
４５…押し破り部
５０…連結片
５１…係合孔
６０…ディスプレイ本体
６１…紙製シート
【図１】
0005512415.tif 000002
【図２】
0005512415.tif 000003
【図３】
0005512415.tif 000004
【図４】
0005512415.tif 000005
【図５】
0005512415.tif 000006
【図６】
0005512415.tif 000007
【図７】
0005512415.tif 000008